(57)【要約】      （修正有）【課題】足の横アーチ部に装着して、足の横アーチの機能を保持、改善、修復、強化することにより、健康向上が図れるリング状のゴムバンドを提供する。【解決手段】人の足４の横アーチ部分（前足部・踏付け部）６の周囲の長さより短い寸法のゴムバンドをリング状に形成した足の横アーチ用ゴムバンド１であり、ゴムバンドを伸張拡開した状態で前足部の横アーチ部に装着する。ゴムバンドの弾性収縮力で横アーチ部をドーム状につぼめた状態とし、荷重付加でゴムバンドが伸張して横アーチ部６が横方向に開き、荷重解放で再び横アーチ部６をつぼめた状態にすることを繰り返し、足の横アーチの機能を保持、改善、修復、強化する。【選択図】図４
0003196728.tif 000002
【実用新案登録請求の範囲】
【請求項１】
人の足の前足部（踏付け部）の横アーチ部分の周囲の長さより短い寸法のゴムバンドをリング状に形成して備えた足の横アーチ用ゴムバンドであり、
該ゴムバンドのリングを弾性に抗して伸張拡開した状態で前足部の横アーチ部に装着して、ゴムバンドの弾性収縮力で横アーチ部をドーム状につぼめた状態とし、該状態で立上る等して足裏の踏付け部に荷重すると、該荷重でゴムバンドが弾性収縮力に抗し伸張して横アーチが横方向に開き、足を上げる等して荷重から解放すると、再びゴムバンドの弾性収縮力で横アーチ部をつぼめた状態になることを繰り返すように備え、もって、足の横アーチの機能を保持、改善、修復、強化することを特徴とする、足の横アーチ用ゴムバンド。
【請求項２】
ゴムバンドは、シリコンゴム、合成ゴム、天然ゴム、ゴム紐、若しくは、布ゴムのバンドをリング状に形成したものであることを特徴とする、請求項１に記載の足の横アーチ用ゴムバンド。
【請求項３】
体型、症状、使用目的に合せ、ゴムバンドの形状、素材、幅、リングの寸法が異なる複数種を備えたことを特徴とする、請求項１に記載の足の横アーチ用ゴムバンド。
【請求項４】
ソックス、ストッキングの上から装着することが望ましいものである、請求項１に記載の足の横アーチ用ゴムバンド。
【考案の詳細な説明】
【技術分野】
【０００１】  本考案は、足の横アーチ部に装着して使用するリング状のゴムバンドに係るものであり、前記横アーチ部にゴムバンドの弾力性（弾力的な伸張、収縮作用）を利用して着脱自在に嵌装して使用し、もって、足の横アーチの機能を保持、改善、修復、強化することにより、健康向上を企図するものである。
【背景技術】
【０００２】  人の足は、足指、前足部（踏付け部）、中足部（踏まず部）、後足部（かかと部）からなり、前足部の横方向のアーチ（ドーム構造）を横（よこ）アーチと称し、該横アーチ、内側縦アーチ、外側縦アーチの３アーチが、足を蹴りだす力（ばね）、衝撃の緩衝（クッション）、足底の筋肉や神経の保護等の機能を発揮して、人体の歩行、姿勢維持、全身の健康維持等に寄与している。
ところが、生まれつき、運動不足、運動過剰による疲労、病気、老齢化等の種々の原因・理由で足の横アーチが下垂したままの状態になってしまって正しい横アーチが失われたり、退化したりするため、健康正常で丈夫な横アーチに保持、改善、修復することができる手段が希求されており、一方、更に横アーチを強化して運動能力を向上するための手段も希求されている。
【先行技術文献】
【特許文献】
【０００３】
【特許文献１】特開２０１４−０８３４０２号公報
【特許文献２】特願２０１４−０８３４２１号公報
【考案の概要】
【考案が解決しようとする課題】
【０００４】  ところが、従来、健康保健用用品として極めて種々のものが提供されているが、それらは全身、或は、肩、腰、手、脚など、人体の比較的に広い部分を対象とするものばかりであって、本考案のように、一局部に過ぎない「足の横アーチ」だけを対象とするものは、全く提供されていない大きな課題があった。【０００５】  そこで、本考案は、人の足の前足部（踏付け部）の横アーチ部分の周囲の長さより短い寸法のゴムバンドをリング状に形成して備えた足の横アーチ用ゴムバンドを開発提供して前記のような従来の課題を有効に解決したものである。
即ち、本考案は、人の前足部（踏付け部）の横アーチ部分の周囲の長さより短い寸法のゴムバンドをリング状に形成して備えた足の横アーチ用ゴムバンドであり、該ゴムバンドのリングを弾性に抗して伸張拡開した状態で前足部の横アーチ部に装着して、ゴムバンドの弾性収縮力で横アーチ部をドーム状につぼめた状態とし、該状態で立上る等して足裏の踏付け部に荷重すると、該荷重でゴムバンドが弾性収縮力に抗し伸張して横アーチが横方向に開き、足を上げる等して荷重から解放すると、再びゴムバンドの弾性収縮力で横アーチ部をつぼめた状態になることを繰り返すように備え、もって、足の横アーチの機能を保持、改善、修復、強化することを特徴とする、足の横アーチ用ゴムバンドによって、上記従来の課題を有効に解決したものである。
【課題を解決するための手段】
【０００６】  請求項１の考案は、人の足の前足部（踏付け部）の横アーチ部分の周囲の長さより短い寸法のゴムバンドをリング状に形成して備えた足の横アーチ用ゴムバンドであり、
該ゴムバンドのリングを弾性に抗して伸張拡開した状態で前足部の横アーチ部に装着して、ゴムバンドの弾性収縮力で横アーチ部をドーム状につぼめた状態とし、該状態で立上る等して足裏の踏付け部に荷重すると、該荷重でゴムバンドが弾性収縮力に抗し伸張して横アーチが横方向に開き、足を上げる等して荷重から解放すると、再びゴムバンドの弾性収縮力で横アーチ部をつぼめた状態になることを繰り返すように備え、もって、足の横アーチの機能を保持、改善、修復、強化することを特徴とする、足の横アーチ用ゴムバンドによって課題を解決したものである。【０００７】  請求項２の考案は、ゴムバンドは、シリコンゴム、合成ゴム、天然ゴム、ゴム紐、若しくは、布ゴムのバンドをリング状に形成したものであることを特徴とする、請求項１に記載の足の横アーチ用ゴムバンドによって課題を解決したものである。【０００８】  請求項３の考案は、体型、症状、使用目的に合せ、形状、素材、ゴムバンドの幅、リングの寸法が異なる複数種を備えたことを特徴とする、請求項１に記載の足の横アーチ用ゴムバンドによって課題を解決したものである。【０００９】  請求項４の考案は、ソックス、ストッキングの上から装着することが望ましいものである、請求項１に記載の足の横アーチ用ゴムバンドによって課題を解決したものである。
【考案の効果】
【００１０】１．歩行時、立位時、運動時、立ち居時等に足の踏付け部にかかる荷重で、それまでゴムバンドの収縮力でつぼんでいた横アーチ部が拡開して本考案ゴムバンドが強制的に伸張され、足をあげる等で足の踏付け部にかかる荷重が無くなると、再び横アーチ部がゴムバンドの収縮力でつぼむ作用が繰り返し行われることによって、横アーチを自然の内に本来正常な状態に保持、改善、修復、強化することができる優れた効果がある。
２．前記のように横アーチの保持、改善、修復、強化する効果によって足元が安定することにより、自然に正しい姿勢に矯正する効果がある。
３．足のつま先が上げやすく、脚を上げ易くなり、歩行訓練用として有効に使用でき、従って、躓き防止、転倒防止の効果が生じる。
４．外反母趾改善・予防、内半小指の改善・予防の効果がある。
５．姿勢が改善（理想的な重心ラインの確保）されて、姿勢が良くなるため、全身への好影響がある。
６．骨盤のねじれ改善・予防、肩こりの改善・予防、腰痛の改善・予防、膝痛の改善・予防等の効果を期待できる。
７．脚のむくみ改善・予防、脚の疲れ改善・予防、ふくらはぎのつりの改善・予防、便秘の改善・予防等の効果を期待できる。
８．その他、筋力アップ、ダイエット効果アップ等、種々の保健、スポーツ等におけるパフォーマンスアップ効果が考えられる。
７．汎用素材を用い構造簡潔なため、簡単に製造でき低コストで提供し得る優れた経済性がある。
【図面の簡単な説明】
【００１１】
【図１】実施例１の正面図である。
【図２】実施例１の背面図である。
【図３】実施例１の平面図である。
【図４】実施例１を両足に装着した状態を足の甲側から見た図である。
【図５】実施例１の背面側を上にして両足に装着した状態を足の甲側から見た図である。
【考案を実施するための形態】
【００１２】  人の足４の横アーチ部分（前足部・踏付け部）６の周囲の長さより短い寸法のゴムバンドをリング状に形成して足の横アーチ用ゴムバンド１を備えて実現した。
【実施例１】
【００１３】  図１は本考案の実施例１の正面図、図２は背面図、図３は平面図、図４は実施例１を両足に装着した状態を足の甲側から見た図、図５は実施例１の背面側を上にして両足に装着した状態を足の甲側から見た図である。【００１４】  符号、１は本考案実施例１の足の横アーチ用ゴムバンド、２は１の正面、３は１の背面、４は人の足、５は足指、６は横（よこ）アーチ部（前足部・踏付け部）、７は中足部（踏まず部）、８は後足部（かかと部）である。【００１５】  本考案は、人の足４の横アーチ部分（前足部・踏付け部）６の周囲の長さより短い寸法のゴムバンドをリング状に形成して備えた足の横アーチ用ゴムバンド１であり、
該本考案ゴムバンド１のリングを弾性に抗して伸張拡開した状態で前足部の横アーチ部６に装着して、ゴムバンド１の弾性収縮力で横アーチ部６をドーム状につぼめた状態とし、該状態で立上る等して足裏の踏付け部６に荷重すると、該荷重でゴムバンド１が弾性収縮力に抗し伸張して横アーチ部６が横方向に開き、足を上げる等して荷重から解放すると、再びゴムバンド１の弾性収縮力で横アーチ部６をつぼめた状態になることを繰り返すように備え、もって、足の横アーチの機能を保持、改善、修復、強化することを特徴とする、足の横アーチ用ゴムバンド１によって課題を解決したものである。【００１６】  請求項２の考案は、ゴムバンド１は、シリコンゴム（実施例）、合成ゴム、天然ゴム、ゴム紐、若しくは、布ゴムのバンドをリング状に形成したものであることを特徴とする、請求項１に記載の足の横アーチ用ゴムバンドによって課題を解決したものである。【００１７】  請求項３の考案は、体型、症状、使用目的に合せ、形状、素材、ゴムバンドの幅、リングの寸法が異なる複数種を備えたことを特徴とする、請求項１に記載の足の横アーチ用ゴムバンドによって課題を解決したものである。【００１８】  請求項４の考案は、ソックス、ストッキングの上から装着することが望ましいものである、請求項１に記載の足の横アーチ用ゴムバンドによって課題を解決したものである。【００１９】  実施例１において、ゴムバンド１を、図４のように装着するのが基本的であるが、例えば、図４のように装着すると、特に、ひざ痛、Ｏ脚の改善に効果がある。【００２０】  本考案ゴムバンドは、歩行時、立位時、運動時、通常の立ち居等の際に、自然に足の指が広がることによって、横アーチの機能を正常化、強化することを目的としているものである。
よって、使用上の注意点として、前記、歩行時、立位時、運動時、通常の立ち居など以外は装着使用しないようにし、特に就寝時は、つま先の血液循環を阻害するので絶対に使用しないように注意することが望ましく、また、つま先の細い靴を避けることが望ましい。【００２１】  前記足裏の踏付け部６に対する荷重が加わるのは、例えば、歩行時、立位時、運動時、通常の立ち居等の場合である。
【産業上の利用可能性】
【００２２】  本考案横アーチ用ゴムバンドは、製造簡単かつ低コストで提供でき、その上、装着・使用も簡単なので、足の横アーチ機能の保持、改善、修復、強化用に最適なアイテムとして極めて汎用性に優れたものである。
【符号の説明】
【００２３】  １  本考案実施例１の足の横アーチ用ゴムバンド
２  １の正面
３  １の背面
４  人の足
５  足指
６  横（よこ）アーチ部（前足部・踏付け部）
７  中足部（踏まず部）
８  後足部（かかと部）
【図１】
0003196728.tif 000003
【図２】
0003196728.tif 000004
【図３】
0003196728.tif 000005
【図４】
0003196728.tif 000006
【図５】
0003196728.tif 000007